(57)【要約】天井扇風機は、天井に係合可能な支柱部と、支柱部の下部に設けたモータ部と、モータ部に着脱自在な羽根部（５）と、モータ部の下部に設けた照明部（７）とを備えている。照明部（７）は、照明上カバー（１６）と、照明上カバー（１６）の下方を覆う照明下カバー（１７）と、照明下カバー（１７）と照明上カバー（１６）との間に配置されると共に発光部品を装着した基板部（１９）と、基板部（１９）と照明上カバー（１６）との間に設けられており、基板部（１９）からの熱を放熱する放熱部（１８）とを備え、照明上カバー（１６）と照明下カバー（１７）とは樹脂で形成されており、照明上カバー（１６）の中央部に放熱用の開口（３１）を備えたことを特徴とする。
2017126573.tif 000002
【特許請求の範囲】
【請求項１】
天井に係合可能な支柱部と、
前記支柱部の下部に設けたモータ部と、
前記モータ部に着脱自在な羽根部と、
前記モータ部の下部に設けた照明部とを備え、
前記照明部は、
照明上カバーと、
前記照明上カバーの下方を覆う照明下カバーと、
前記照明下カバーと前記照明上カバーとの間に配置されると共に発光部品を装着した基板部と、
前記基板部と前記照明上カバーとの間に設けられており、前記基板部からの熱を放熱する放熱部とを備え、
前記照明上カバーと前記照明下カバーとは樹脂で形成されており、
前記照明上カバーの中央部に放熱用の開口を備えたことを特徴とする天井扇風機。
【請求項２】
前記照明上カバーは、
中央部に上方へ突出した凸部分を有し、
前記凸部分に前記開口を備えたことを特徴とする請求項１に記載の天井扇風機。
【請求項３】
前記開口は前記モータ部の下面と対向し、
前記モータ部の周縁部より内方に配置されていることを特徴とする請求項１または２に記載の天井扇風機。
【請求項４】
前記照明部は、前記支柱部の下端部に着脱自在であることを特徴とする請求項１から３のいずれかに記載の天井扇風機。
【請求項５】
前記モータ部の上方に制御部を設けたことを特徴とする請求項１から４のいずれかに記載の天井扇風機。
【発明の詳細な説明】
【技術分野】
【０００１】
本発明は、照明を備えた天井扇風機に関するものである。
【背景技術】
【０００２】
従来、この種の天井扇風機は、天井に係合可能な支柱部と、支柱部の下部に設けたモータ部と、モータ部に着脱自在な羽根部と、モータ部の下部に設けた制御部と、制御部の下面に設けた照明部を備えている。照明部は、制御部に固定された放熱部と、発光部品を装着した基板部と、上部が開口した椀形状の照明下カバーと、略筒形状のケース部とを備えている。基板部と照明下カバーとは、放熱部に固定され、ケース部は、放熱部に着脱自在な構成である。モータ部に羽根部を装着する場合には、放熱部からケース部を取り外した状態で作業を行うものである（例えば、特許文献１参照）。
【先行技術文献】
【特許文献】
【０００３】
【特許文献１】特開２０１５−５５１５７号公報
【発明の概要】
【０００４】
このような従来の天井扇風機では、モータ部に羽根部を装着する場合に、放熱部からケース部を取り外すと、放熱部の周縁部が露出する構成となっていた。そのため、モータ部に羽根部を装着する場合に、作業者から静電気が発生すると、静電気は露出している放熱部へ飛び、放熱部から基板部へ電流が流れ、発光部品が故障する場合があるという課題を有していた。
【０００５】
そこで、本発明は、静電気が放熱部へ飛び、放熱部から基板部へ電流が流れることを低減することを目的とするものである。
【０００６】
そして、この目的を達成するために、本発明に係る天井扇風機は、天井に係合可能な支柱部と、支柱部の下部に設けたモータ部と、モータ部に着脱自在な羽根部と、モータ部の下部に設けた照明部とを備える。また、照明部は、照明上カバーと、照明上カバーの下方を覆う照明下カバーと、照明下カバーと照明上カバーとの間に配置されると共に発光部品を装着した基板部と、基板部と照明上カバーとの間に設けられており、基板部からの熱を放熱する放熱部とを備える。さらに、本発明に係る天井扇風機は、照明上カバーと照明下カバーとは樹脂で形成されており、照明上カバーの中央部に放熱用の開口を備えたことを特徴とする。これにより、所期の目的を達成するものである。
【０００７】
以上のように本発明は、照明上カバーと照明下カバーとが樹脂で形成され、照明上カバーの中央部に放熱用の開口を備えたことを特徴とするものである。
【０００８】
すなわち、羽根部を装着するモータ部の周縁部と放熱用の開口とが離れているので、羽根部を取り付ける場合に、開口を介して静電気が放熱部へ飛び、放熱部から基板部へ電流が流れることを低減できるものである。
【図面の簡単な説明】
【０００９】
【図１】図１は、本発明の実施の形態の天井扇風機を示す斜視図である。
【図２】図２は、同天井扇風機を示す断面図である。
【図３】図３は、図２における二点鎖線で囲んだ部分の拡大断面図である。
【図４】図４は、同天井扇風機の照明部を示す分解斜視図である。
【図５】図５は、同天井扇風機の照明部を示す分解斜視図である。
【図６】図６は、同天井扇風機の照明上カバーを示す斜視図である。
【発明を実施するための形態】
【００１０】
以下、本発明の実施の形態について図面を参照しながら説明する。
【００１１】
なお、以下で説明する各部材について、図面における上側の部分を上部と称し、図面における下側の部分を下部と称する。また、以下で説明する各部材について、図面における上側の面を上面と称し、図面における下側の面を下面と称する。また、以下では、図面における上方を上方と称し、図面における下方を下方と称する。
【００１２】
（実施の形態）
図１は、実施の形態の天井扇風機を示す斜視図である。図２は、実施の形態の天井扇風機を示す断面図である。
【００１３】
図１および図２に示すように、天井扇風機１は、支柱部２と、パイプカバー３と、モータ部４と、羽根部５と、制御部６と、照明部７とを備えている。
【００１４】
支柱部２は、中空の棒形状で、上部には、天井に係合可能な吊下部８を有し、下部にはモータ部４が固定されている。天井扇風機１は、支柱部２の周囲に、筒形状のパイプカバー３を備えている。天井扇風機１は、吊下部８を介して天井面から吊下げられる。
【００１５】
図３は、図２における二点鎖線で囲んだ部分の拡大断面図である。
【００１６】
図３に示すように、モータ部４は、アウターローターモーターであって、回転子９と、固定子鉄心１０と、固定子巻線１１と、支持部分１２とを備えている。
【００１７】
回転子９は、上面および下面（図面における下側の面）が塞がれた円筒形状で、中心軸が回転軸となるように、支柱部２に回転自在に装着されている。支柱部２の中心軸と、回転子９の中心軸とは、同軸上に配置されている。モータ部４は、回転子９の内部に、支柱部２に固定された複数の鉄板である固定子鉄心１０と、固定子鉄心１０の孔（図示せず）に巻かれた銅線である固定子巻線１１とを備えている。
【００１８】
支持部分１２は、回転子９の下部から外方に延びた複数の板である。支持部分１２は、回転子９と一体で形成している。材質は、金属であり、１例としてはアルミニウム、またはアルミニウムの合金である。
【００１９】
羽根部５は、略長四角平板形状で、この略長四角平板形状の一方の短辺側が支持部分１２に着脱可能に装着されている。固定子巻線１１に電圧が印加されると、回転子９と支持部分１２と羽根部５とが回転し、羽根部５によって空気が送風される。
【００２０】
制御部６は、モータ部４の上方に設けられており、制御ケース部１３と、この制御ケース部１３内に設けられた制御基板部１４とを備えている。後述するリモコンからの信号を受信した信号に基づき動作させる。
【００２１】
制御ケース部１３は、上面および下面が塞がれた略円筒形状で、上部および下部には、複数の通風口１５を有している。この通風口１５によって、制御基板部１４で発生する熱が、制御ケース部１３の外へ放出される。
【００２２】
制御基板部１４は、モータ部４、照明部７、および天井裏からのびる電源電線（図示せず）と、電気的に接続している。制御基板部１４によって、モータ部４と、照明部７とを制御するものである。
【００２３】
照明部７は、モータ部４の下方に設けられ、下面から下方へ光を照らすものである。
【００２４】
図４および図５は、実施の形態の天井扇風機の照明部を示す分解斜視図である。
【００２５】
図４および図５に示すように、照明部７は、照明上カバー１６と、照明下カバー１７と、放熱部１８と、基板部１９と、カバー２０とを備えている。
【００２６】
照明上カバー１６は、上部が閉じている略円筒形状をしており、円筒側面には円筒側面から外方へ突出した突起である上側固定部２１が設けられている。
【００２７】
照明下カバー１７は、上方が開口した椀形状をしており、上端部にＬ字状の切り欠きである下側固定部２２が設けられている。下側固定部２２は、照明下カバー１７の上端から下方へ延びた第１の切り欠き２３と、第１の切り欠き２３の下端から水平方向へ延びた第２の切り欠き２４を有している。照明下カバー１７の材質は光に対して透過性と反射性を有する樹脂材料であり、１例として拡散材を含有した半透明のポリカーボネートである。照明下カバー１７が半透明であるので、照明下カバー１７に当たった一部の光は、照明下カバー１７を透過する。また、照明下カバー１７の材質が拡散材を含有した樹脂材料であるので、照明下カバー１７に当たった一部の光は、拡散し、照明下カバー１７の内面で反射したようになる。
【００２８】
放熱部１８は、円板状の円板部分２５と、円板部分２５の上面から上方へ延びた複数の細長板形状の突起部分２６とを備えている。円板部分２５の中央には円形の孔２５Ａを有している。突起部分２６は、孔２５Ａの中心から放射状に設けられており、放射方向に延びる細長板形状である。円板部分２５と突起部分２６とは、金属で一体に成形されており、材質は、一例として、アルミニウム、またはアルミニウムの合金である。放熱部１８は、照明上カバー１６に固定されている。
【００２９】
基板部１９は、放熱部１８に固定されており、照明下カバー１７を照明上カバー１６に固定することで、それら照明下カバー１７および照明上カバー１６によって覆われる。基板部１９の下面には、複数の発光部品２７と、中央に１つの受信部２８を装着している。基板部１９の下面は、照明下カバー１７で反射した光が、再び基板部１９で反射するように表面処理されており、表面処理の一例としては、白色に塗装されている。
【００３０】
発光部品２７の一例は、発光素子である長方形の板形状のＬＥＤチップである。複数の発光部品２７は、受信部２８を中心として、放射状に配置されている。天井扇風機１を天井面から吊下げた状態において、発光部品２７からの光は鉛直方向へ出射され、鉛直方向を中心に６０度程度広がって下方へ照射される。発光部品２７から照射された光は、照明下カバー１７の内面と、基板部１９の下面とで反射を繰り返しながら、一部の光が照明下カバー１７を透過する。
【００３１】
受信部２８は、基板部１９のＬＥＤチップ搭載面の中央に設けられており、照明下カバー１７を介してリモコン（図示せず）から送信された信号を受信できるものである。この信号の一例は、赤外線によるものである。
【００３２】
カバー２０は、平面状のリングと、リングの外周縁から延びた円筒状の側面を備えた形状をしており、照明上カバー１６の上面の周縁部と側面と、照明下カバー１７の上端部とを覆う。カバー２０の側面における内面には上下方向に延びたリブが突出している。このリブが抜け止め部２９である。
【００３３】
照明上カバー１６と照明下カバー１７とは、カバー固定部３０によって固定される。カバー固定部３０は、上側固定部２１と下側固定部２２と抜け止め部２９とを備えている。
【００３４】
以上の構成において、照明上カバー１６と、照明下カバー１７と、放熱部１８と、基板部１９と、カバー２０との組み立て方について説明する。
【００３５】
まず、放熱部１８に基板部１９を固定する。次に、基板部１９が固定された放熱部１８を照明上カバー１６に取り付ける。その後、放熱部１８、基板部１９が取り付けられた照明上カバー１６に照明下カバー１７を被せる。この時、照明上カバー１６の上側固定部２１である突起が、照明下カバー１７の下側固定部２２である第１の切り欠き２３を介して、第２の切り欠き２４まで入り込むようにする。つまり、照明上カバー１６の上側固定部２１に照明下カバー１７の第１の切り欠き２３が嵌るように被せた後、上側固定部２１が、第２の切り欠き２４に入り込むように、照明下カバー１７を、照明上カバー１６に対して回転させてやればよい。また、照明上カバー１６を照明下カバー１７に対して回転させてもよい。これにより、照明上カバー１６の上側固定部２１が第２の切り欠き２４に入り込むため、引っかかり、照明下カバー１７は照明上カバー１６に対して、水平方向には移動できるが、上下方向（図面における上下方向）に移動できなくなる。
【００３６】
次に、照明上カバー１６と照明下カバー１７とに上方からカバー２０を被せる。この時、カバー２０の抜け止め部２９の下端部が、照明下カバー１７の下側固定部２２である第１の切り欠き２３に入り込むように、カバー２０を照明上カバー１６と照明下カバー１７とに被せる。この構成によれば、照明上カバー１６に対して照明下カバー１７を水平方向に回転させようとすると、第１の切り欠き２３が抜け止め部２９と、あるいは第２の切り欠き２４が上側固定部２１と接触する。これにより、照明下カバー１７は照明上カバー１６に対して回転できなくなる。以上の構成によれば、照明下カバー１７は、上下方向、回転方向への移動が制限されるように照明上カバー１６に取り付けられる。つまり、照明上カバー１６と照明下カバー１７とは、安定して固定される。
【００３７】
次に、天井扇風機１の動作について説明する。本実施の形態では、天井扇風機１の動作は、リモコンによって制御される。まず、リモコンから天井扇風機１へ信号を送信する。送信された信号は、基板部１９の中央に設けられている受信部２８で受信される。受信部２８で受信された信号は、制御部６に伝わり、制御部６は、モータ部４を回転させる。モータ部４が回転することで羽根部５が回転し、空気が送風される。また、リモコンの照明用ボタンを押すと、受信部２８が照明用の信号を受信するため、照明部７を点灯させたり、照度を切替えたり、消灯させたりすることができる。
【００３８】
本実施の形態における特徴は、照明部７の構造にある。具体的には、照明部７は、照明上カバー１６と、照明上カバー１６の下方を覆い、上部が開口した椀形状の照明下カバー１７と、照明下カバー１７と照明上カバー１６との間に配置されると共に発光部品を装着した基板部１９と、照明上カバー１６と基板部１９とに挟まれた放熱部１８とを備えている。そして、照明上カバー１６と照明下カバー１７とは樹脂で形成されており、照明上カバー１６の中央部に放熱用の開口３１を備えている。放熱部１８と基板部１９とは、樹脂製の照明上カバー１６と照明下カバー１７の内方に配置され、照明上カバー１６の開口３１が、照明上カバー１６と照明下カバー１７の内方と、照明上カバー１６と照明下カバー１７の外方とを連通している。
【００３９】
このように、放熱部１８が、露出せず照明上カバー１６と照明下カバー１７との内方に配置され、作業者が直接、放熱部１８を触ることが出来ない。そのため、作業者が現場で羽根部５を取り付ける場合に、作業者から静電気が放熱部１８へ飛び、放熱部１８から基板部１９へ電流が流れることを低減できるものである。
【００４０】
また、放熱部１８は、樹脂製の照明上カバー１６と照明下カバー１７の内方に配置され、露出していないが、照明上カバー１６の中央部には、放熱用の開口３１を備えている。そのため、照明上カバー１６と照明下カバー１７の内方の放熱部１８からの熱を開口３１から照明上カバー１６と照明下カバー１７の外方へ放出できる。
【００４１】
更に、羽根部５を取り付ける場合に、羽根部５を装着するモータ部４の周縁部と放熱用の開口３１とが離れている。そのため、開口３１を介して静電気が放熱部１８へ飛び難く、放熱部１８から基板部１９へ電流が流れることを低減できるものである。
【００４２】
図６は、実施の形態の天井扇風機の照明上カバーを示す斜視図である。
【００４３】
図６に示すように、照明上カバー１６は、中央部に上方へ突出した凸部分３２を有し、凸部分３２に開口３１を備えている。また、図４に示すように、照明上カバー１６の上面中央部には、照明上カバー１６の上面から上方に所定の距離Ａだけ突出した上面が塞がれた円筒形状の凸部分３２を備えている。そして、凸部分３２の上面には、放熱用の開口３１を備えている。したがって、放熱部１８の上端から放熱用の開口３１からまでの距離は、更に所定の距離Ａ離れている。なお、放熱用の開口３１は、凸部分３２の中央部から外側に向かって放射状に延びた複数の長孔である。
【００４４】
これにより、羽根部５を装着するモータ部４の周縁部から放熱部１８の上端までの沿面距離が伸びるので、羽根部５を装着する場合に、作業者から開口３１を介して静電気が放熱部１８へ飛び、放熱部１８から基板部１９へ電流が流れることを更に低減できるものである。
【００４５】
また、放熱用の開口３１は、照明上カバー１６の上面中央部で、モータ部４の下面と対向し、モータ部４の周縁部より内方に位置し、上下方向に貫通した孔である。
【００４６】
これにより、開口３１が、モータ部４を装着する周縁部より内方に位置しているので、羽根部５を装着する場合に、作業者の手と、開口３１との距離が長くなる。結果として、作業者の手から開口３１を介して静電気が放熱部１８へ飛び、放熱部１８から基板部１９へ電流が流れることを低減できるものである。
【００４７】
また、モータ部４は、回転する回転子９と、回転子９から延びた羽根部５を取り付ける複数の支持部分１２を備えている。羽根部５は、支持部分１２に装着される羽根装着部分３３を備えている。支持部分１２は、回転子９の側面下部から外方へ延びるものである。具体的には、支持部分１２は、回転子９の側面下部から、斜め外方下方に延びた複数（１例として５つ）の第１の支持部分３４と、第１の支持部分３４の先端から外方水平方向に延びた第２の支持部分３５とを備えている。第２の支持部分３５の上面に、羽根部５の羽根装着部分３３を装着し、上方からねじによって固定するものである。
【００４８】
このように、羽根部５を取り付ける複数の支持部分１２は、回転子９の側面下部から外方へ延びるので、支持部分１２から、放熱用の開口３１までの距離が伸びる。そのため、作業者から開口３１を介して静電気が放熱部１８へ飛び、放熱部１８から基板部１９へ電流が流れることを更に低減できるものである。
【００４９】
また、照明部７は、支柱部２の下端部に、固定部品３６によって着脱自在な構成である。固定部品３６は、細長い平板形状である平板部分３７と、平板部分３７の下面から下方に延びた筒形状の筒部分３８とを備えている。平板部分３７は、中央に円形の孔である孔３９と、両短辺側に２つの円形の孔であるねじ穴４０を備えている。孔３９は、筒部分内と連通しており、孔３９を介して筒部分内に支柱部２の下端部が挿入可能である。照明上カバー１６の凸部分３２には、開口３１を有する面より更に上方へ突出した２つの台部分４１を備え、２つの台部分４１には、それぞれ孔４２を有し、これらの孔４２は、平板部分のねじ穴４０と対向している。筒部分３８は、水平方向に貫通した孔４３を備えている。この孔４３に対向するように、支柱部２の下端部には、ねじ孔４４を備えている。
【００５０】
上記構成において、照明部７と支柱部２との固定方法について説明する。まず、照明上カバー１６に固定部品３６を取り付ける。具体的には、照明部７の２つの台部分４１の間に、固定部品３６の筒部分３８が入り、固定部品３６の平板部分３７の２つのねじ穴４０が、２つの台部分４１のそれぞれ孔４２と連通するように、台部分４１の上面に固定部品３６の平板部分３７を載せる。そして、孔４２を介してねじ穴４０にねじをねじ止めし、台部分４１に固定部品３６を固定する。
【００５１】
次に、固定部品３６が固定された照明上カバー１６と、照明下カバー１７と、放熱部１８と、基板部１９と、カバー２０とを組み立てる。この状態で、固定部品３６の孔３９を介して、筒部分３８内に支柱部２の下端部が入るように挿入し、筒部分３８の孔４３を介して支柱部２の下端部のねじ孔４４にねじを締め、照明部７を支柱部２に固定する。
【００５２】
このように、固定部品３６が固定された照明上カバー１６と、照明下カバー１７と、放熱部１８と、基板部１９と、カバー２０とを組み立てた状態、つまり放熱部１８が露出せず、照明上カバー１６と照明下カバー１７との内方に配置された状態で、照明部７を支柱部２の下端部に固定できる。これにより、工場で天井扇風機１を組み立てる場合に、作業者が直接、放熱部１８を触ることが出来ないので、作業者から静電気が放熱部１８へ飛び、放熱部１８から基板部１９へ電流が流れることを低減できるものである。
【００５３】
また、図３に示すように、モータ部４の上方に制御部６を設けている。具体的には、モータ部４から水平方向に延びる羽根部５の上方に制御部６の一部が配置され、下方には、放熱部１８の一部が配置されている。
【００５４】
これにより、発熱する照明部７と制御部６との間に、回転物であるモータ部４および羽根部５を備えているので、照明部７と制御部６とが隣接している場合に比べ、モータ部４と羽根部５の回転によって照明部７と制御部６が放熱し易い。
【産業上の利用可能性】
【００５５】
本発明は、家庭用や事務所用などの天井扇風機として有用である。
【符号の説明】
【００５６】
１    天井扇風機
２    支柱部
３    パイプカバー
４    モータ部
５    羽根部
６    制御部
７    照明部
８    吊下部
９    回転子
１０    固定子鉄心
１１    固定子巻線
１２    支持部分
１３    制御ケース部
１４    制御基板部
１５    通風口
１６    照明上カバー
１７    照明下カバー
１８    放熱部
１９    基板部
２０    カバー
２１    上側固定部
２２    下側固定部
２３    第１の切り欠き
２４    第２の切り欠き
２５    円板部分
２６    突起部分
２５Ａ    孔
２７    発光部品
２８    受信部
２９    抜け止め部
３０    カバー固定部
３１    開口
３２    凸部分
３３    羽根装着部分
３４    第１の支持部分
３５    第２の支持部分
３６    固定部品
３７    平板部分
３８    筒部分
３９    孔
４０    ねじ穴
４１    台部分
４２    孔
４３    孔
４４    ねじ孔
【図１】
2017126573.tif 000003
【図２】
2017126573.tif 000004
【図３】
2017126573.tif 000005
【図４】
2017126573.tif 000006
【図５】
2017126573.tif 000007
【図６】
2017126573.tif 000008
【国際調査報告】
2017126573.tif 000009
2017126573.tif 000010
2017126573.tif 000011